(57)【要約】      （修正有）【課題】患者の薬を分類し、患者にその薬を思い出させる医療装置を提供する。【解決手段】医療装置１１０は、レセプタクル１１４と、歯ブラシ１１２とを有する。レセプタクルは、容器１２４と、クロージャ１３０とを有する。容器は、開放端１３２と、閉鎖端１２６とを有する。歯ブラシは、柄１１８と、毛１２０とを有する。柄は、閉鎖端及び毛と作動的に連携されている。クロージャは、開放端を選択的に閉鎖する。【選択図】図１
2019122763.tif 000002
【特許請求の範囲】
【請求項１】
第１及び第２端並びに周側壁を有する容器と、
前記周側壁に設けられたアクセス開口部と、
前記アクセス開口を選択的に閉鎖するアクセス蓋と、
前記第２閉鎖端に設けられた表示と、
前記閉鎖端と作動的に連携された柄及び該柄から延びた毛を有する歯ブラシとを備えた医療装置。
【請求項２】
前記容器の周囲に嵌合するようにしたカバーをさらに備え、該カバーは窓部を備え、該窓部を通して前記容器上の表示が選択的に見える請求項１記載の装置。
【請求項３】
前記歯ブラシを覆うシェルをさらに備えた請求項１記載の装置。
【請求項４】
前記カバーは、前記容器と回転可能に連携されている請求項２記載の装置。
【請求項５】
前記容器及び前記カバーに、対応するインデックス構造をさらに備えた請求項４記載の装置。
【請求項６】
前記容器の前記インデックス構造は凹部であり、前記カバーの前記インデックス構造は凸部であり、前記凸部が前記凹部に嵌入する請求項５記載の装置。
【請求項７】
前記容器の前記インデックス構造は凸部であり、前記カバーの前記インデックス構造は凹部であり、前記凸部が前記凹部に嵌入する請求項５記載の装置。
【請求項８】
前記クロージャは、前記カバーと一体化してさやを形成している請求項２記載の装置。
【請求項９】
前記容器内に長手方向仕切りによって形成された複数のコンパートメントと、
前記長手方向仕切りの少なくとも２つの間に形成され、前記コンパートメントの少なくとも１つを閉鎖する壁とをさらに備えた請求項８記載の装置。
【請求項１０】
前記さやは、前記容器と回転可能に連携されており、前記壁によって選択的に覆い隠される開口部を備えた請求項９記載の装置。
【請求項１１】
前記さや及び前記容器は、断面が八角形であり、相互にスライド可能且つ取り外し可能に連携されており、前記さやには、前記壁によって選択的に覆い隠される開口部が設けられている請求項９記載の装置。
【請求項１２】
出口を有し、前記クロージャと作動的に連携されたチャンバと、
前記チャンバに封入されたデンタルフロス供給源とをさらに備えた請求項２記載の装置。
【請求項１３】
前記出口にフロスカッターをさらに備えた請求項１２記載の装置。
【請求項１４】
前記薬を服用する時間になると報知する電子アラーム装置をさらに備えた請求項１記載の装置。
【請求項１５】
前記電子アラーム装置は、スマートフォンアプリと共に動作する請求項１４記載の装置。
【請求項１６】
患者に薬の服用を思い出させる方法であって、
選択的に閉鎖可能な容器と作動的に連携するようにした歯ブラシを提供すること、
前記閉鎖可能な容器の側部に設けられたアクセス開口部を介して該容器に薬を充填すること、
前記歯ブラシを日常の歯科衛生ルーチンで使用すること、
前記アクセス空間を開いて、前記ルーチンにおいて前記容器から前記アクセス開口部を介して前記薬を服用することを含む方法。
【請求項１７】
前記容器は薬ボトルであり、前記歯ブラシは、前記薬ボトルと作動的に連携するようにした基部を有する請求項１６記載の方法。
【請求項１８】
前記薬を服用する時間になると前記歯ブラシ上のアラームを感知することをさらに含む請求項１６記載の方法。
【請求項１９】
前記アラームは、音によるもの、画像によるもの又は触知可能なものの何れかである請求項１８記載の方法。
【請求項２０】
前記アラームは、スマートフォンアプリでも感知される請求項１６記載の方法。
【発明の詳細な説明】
【技術分野】
【０００１】
（関連出願の相互参照）
本願は、２０１５年９月１７日出願の米国特許出願第１４／８５７，４２６号（現在は許可されている）の米国特許法第１２０条に基づく優先権を主張した一部継続出願である。
【０００２】
本開示は、概して、健康製品に関し、より具体的には、歯科衛生製品及び薬用容器に関する。
【背景技術】
【０００３】
医療の専門家は患者に薬を処方することがあるが、このような薬はスケジュールに従って服用することになっていることが多い。例えば、医師は、患者が１日１回服用する薬を処方することがある。一般的に、薬は錠剤状で出され、ラベルが貼られたキャップ付きのボトルに包装されている。このラベルには、通常、患者の名前、薬の名前、薬の服用量、薬の服用に関する指示、及び患者に生じ得る副作用が書かれている。
【０００４】
薬が処方された後、薬の指示に従うこと、及び、スケジュール通りに薬を服用することは患者の責任である。しかしながら、そうであっても、患者は、処方された薬を正しく服用し損なうことが多い。例えば、薬の服用は患者の普段のルーチン外であるため、患者は、規則的に薬を服用しなかったり、処方薬のことを忘れたりすることがある。他の例としては、患者は、複数の薬を服用することがあり、どの時間にどの薬を服用すべきか混乱することがある。他の場合としては、患者は、薬を服用したがどうかわからず、忘れてしまったりすることがある。いずれの状況でも、指示に従ってスケジュール通りに薬を服用し損なうことは、患者に対して健康上の悪影響を及ぼし得る。
【０００５】
患者の薬を分類し、患者にその薬を思い出させる容器を提供するシステム及び方法が利用可能である。このような容器は、薬を分類して入れる、一週間の各曜日用のコンパートメントを備えて作られていることが多い。より具体的には、患者は、一週間の開始時にコンパートメントに薬を分類し、一週間が進むにつれて個々のコンパートメントの薬を服用する。しかしながら、このような薬分類容器を用いたとしても、患者は、時として、時間通りに薬を服用し損なう。
【０００６】
患者に薬の服用を思い出させるための既存の対策が、米国特許第３，７３８，４８０号（以下、「‘４８０特許」）にＪａｃｋｓｏｎによって分かりやすく示されている。‘４８０特許は、本体内の一連のコンパートメントを開示しており、各コンパートメントには、具体的な時間についてのラベルが貼られている。
【０００７】
薬の服用を患者の既にある習慣的なルーチンに入れ込んで、患者が適時に薬を服用するのを思い出す助けとなるような薬保存容器の改良が望まれている。さらに、時間通りに薬を服用する患者は、より早く治癒する又は進行中の疾患をより良く管理することにより、繰り返し医者を訪れる必要が減って全体的な医療費を削減し得る。
【発明の概要】
【課題を解決するための手段】
【０００８】
一実施形態に従い、医療装置が開示される。この医療装置は、レセプタクルと、歯ブラシとを備えることができる。前記レセプタクルは、容器と、クロージャとを有することができる。前記容器は、開放端と、閉鎖端とを有することができる。前記クロージャは、前記開放端を選択的に閉鎖することができる。前記歯ブラシは、前記閉鎖端と作動的に連携された柄と、該柄と作動的に連携された毛とを有することができる。
【０００９】
別の実施形態に従い、医療装置が開示される。この医療装置は、基部と、歯ブラシとを備えることができる。前記基部は、薬ボトルと作動的に連携するようにすることができる。前記歯ブラシは、前記基部と作動的に連携された柄と、該柄と作動的に連携された毛とを有することができる。
【００１０】
さらに別の実施形態に従い、患者に薬の服用を思い出させる方法が開示される。この方法は、選択的に閉鎖可能な容器と作動的に連携された歯ブラシを提供することを含むことができる。この方法は、前記容器に薬を充填することも含むことができる。この方法は、前記歯ブラシを日常の歯科衛生ルーチンで使用することをさらに含むことができる。この方法は、前記ルーチンにおいて前記薬を服用することをさらに含むことができる。
【００１１】
さらなる実施形態に従い、患者に薬の服用を思い出させる方法が開示される。この方法は、薬ボトルと接続するようにした基部と作動的に連携された歯ブラシを提供することを含むことができる。この方法は、前記基部を前記薬ボトルと接続することをさらに含むことができる。この方法は、前記歯ブラシを日常の歯科衛生ルーチンで使用することも含むことができる。この方法は、前記ルーチンにおいて前記薬を服用することをさらに含むことができる。
【００１２】
これらの及び他の態様及び特徴は、以下の詳細な説明を添付の図面と併せて読むとより分かりやすくなるであろう。加えて、種々の特徴を具体的な例示的な実施形態と関連させて開示するが、これらの種々の特徴は、本開示の範囲から逸脱することなく、種々の例示的な実施形態のいずれかと共に、相互に組み合わせる又は単独で用いることができることが理解される。
【図面の簡単な説明】
【００１３】
【図１】本開示の一実施形態にかかる医療装置の斜視図である。
【００１４】
【図２】本開示の別の実施形態にかかる医療装置の分解斜視図である。
【００１５】
【図３】本開示のさらなる実施形態にかかる医療装置の分解斜視図である。
【００１６】
【図４】図２の実施形態のＹ−Ｙの断面図である。
【００１７】
【図５】図３の実施形態のＷ−Ｗの断面図である。
【００１８】
【図６】本開示の別のさらなる実施形態にかかる医療装置の分解端面図である。
【００１９】
【図７】本開示の付加的な実施形態にかかる医療装置の分解端面図である。
【００２０】
【図８】図２の実施形態の分解端面図である。
【００２１】
【図９】本開示のまた別のさらなる実施形態にかかる医療装置の分解端面図である。
【００２２】
【図１０】図２の実施形態のＸ−Ｘの断面図である。
【００２３】
【図１１】図１０の詳細図である。
【００２４】
【図１２】本開示のまた別のさらなる実施形態にかかる医療装置の側面図である。
【００２５】
【図１３】図１２の実施形態の端面図である。
【００２６】
【図１４】本開示のさらにまた別のさらなる実施形態にかかる医療装置の側面図である。
【００２７】
【図１５】図１４の実施形態の端面図である。
【００２８】
【図１６】本開示の代替的な実施形態の斜視図である。
【００２９】
【図１７】図１６の実施形態の別の斜視図であって、アクセス蓋が開くまでの図である。
【００３０】
【図１８】図１６の実施形態の端面図である。
【００３１】
【図１９】図１６の実施形態の断面図である。
【００３２】
【図２０】図１６の実施形態の分解図である。
【００３３】
本開示は種々の変更形態や代替構成が可能であるが、その説明に役立つ特定の実施形態について以下に詳細に示して説明する。開示内容は、開示する具体的な実施形態に限定されず、そのすべての変更形態、代替構成及び均等物が含まれる。
【発明を実施するための形態】
【００３４】
ここで、図面、具体的には図１を参照すると、本開示の特定の実施形態に合致する医療装置が参照符号１１０で概略的に示されている。「医療装置」という語は、ここで用いる際は、歯科衛生に関わる手で行う行為、及び、歯科医業、薬剤業、内科医業など（これらに限定されない）の特定の産業に関連する薬の保存を行う道具を指す。医療装置１１０は、種々の実施形態の特徴の開示を補助するために主に例示を目的として示されていること、及び、図１は、医療装置１１０のすべての構成要素を図示しているのではないことが理解されるものとする。
【００３５】
医療装置１１０は、歯ブラシ１１２と、レセプタクル１１４と、シェル１１６とを備えることができる。レセプタクル１１４は、医療装置１１０を使用していない時に歯ブラシ１１２を保護するために、シェル１１６と選択的に作動的に連携させることができる。歯ブラシ１１２は、柄１１８と、該柄１１８と作動的に連携された毛１２０とを含むことができる。いくつかの実施形態では、柄１１８は、円錐状移行領域１２２を有することができる。柄１１８は、さらに、レセプタクル１１４と作動的に連携させることができる。
【００３６】
より具体的には、レセプタクル１１４は、閉鎖端１２６を有することができる容器１２４を含むことができ、柄１１８は該閉鎖端１２６と作動的に連携させることができる。レセプタクル１１４は、容器１２４に加えて、さらに、図２に最良に示すように、カバー１２８とクロージャ１３０とを含むことができる。容器１２４は、閉鎖端１２６の他に、開放端１３２及び少なくとも１つの表示１３４も有することができる。表示１３４は、隆起させる、凹ませる、又は容器１２４と同一平面とすることができ、印刷、エンボス加工、彫刻、型押し、成形などを含む（これらに限定されない）当該技術分野で既知であるいずれかの方法で付すことができることが理解されるべきである。カバー１２８は、容器１２４を少なくとも部分的に囲むことができ、表示１３４を見ることができる窓部１３６を含むことができる。容器１２４は、これを閉鎖するために、開放端１３２においてクロージャ１３０と選択的に作動的に連携させることができる。クロージャ１３０は、ねじ、スナップフィット具、圧入具、ヒンジ、キャッチ、クリップなど（これらに限定されない）の当該技術で既知であるいずれかの方法で容器１２４と作動的に連携させることができることが理解されるべきである。いくつかの実施形態では、クロージャ１３０は、図２に図示のように、また、以下に説明するように、カバー１２８と一体とすることができる。
【００３７】
図２を参照すると、クロージャ１３０及びカバー１２８は、さや２１０を形成する１つのピースとすることができる。一実施形態では、さや２１０は、デンタルフロススプール２１４など（これに限定されない）の医療用品又は衛生用品を格納するためのチャンバ２１２を含むことができる。チャンバ２１２は、このような実施形態では、スプール２１４からデンタルフロスを切り取るためのカッター２１８を有することができる出口２１６を含むことができる。
【００３８】
他の実施形態では、チャンバ２１２は、さや２１０とヒンジ２２０を介して作動的に連携させることができる。さらなる実施形態では、チャンバ２１２は、以下に説明するように、また、図４及び図５に図示のように、選択的に、とげ付き留め具２２２によって閉鎖された状態に保持することができる。他の実施形態では、チャンバ２１２は、切欠き部２２４を有するように構成することができ、さや２１０は、開口部２２６を有するように構成することができる。切欠き部２２４及び開口部２２６は、容器１２４に選択的にアクセスさせるように協働することができる。切欠き部２２４及び開口部２２６については、図８及び図９により具体的に示しており、下記に説明する。
【００３９】
容器１２４に着目すると、該容器１２４は、さや２１０と回転可能に連携させることができ、協働して複数のコンパートメント２３０を形成する複数の長手方向仕切り２２８をさらに含むことができる。該長手方向仕切り２２８のうちの少なくとも２つを壁２３２で連結して、コンパートメント２３０の１つを閉鎖することができる。さや２１０を容器１２４周りに回転させると、開口部２２６及び切欠き部２２４により、個々のコンパートメント２３０に選択的にアクセスさせることができ、また、窓部１３６を通して表示１３４を順次見ることができる。さや２１０を回転させることにより、開口部２２６が壁２３２によって覆い隠された時に容器１２４を選択的に閉鎖することもできる。いくつかの実施形態では、特定のコンパートメント２３０を選択する又は容器１２４をしっかりと閉鎖するのを補助するために、容器１２４及びさや２１０は、対応するインデックス構造２３４を具備することができる。該インデックス構造２３４については、図１０にさらに示しており、下記に説明する。他の実施形態では、特定のコンパートメント２３０への選択的なアクセス又は容器１２４の選択的な閉鎖は、容器１２４及びさや２１０を、図３に図示のような多角形の断面を有するように構成することによって補助することができる。
【００４０】
図３に示すように、容器１２４及びさや２１０は、断面を多角形とすることができる。例えば、７つの開放されたコンパートメント２３０（一週間の各曜日に１つ）と、開口部２２６を覆い隠して容器１２４を選択的に閉鎖するための壁２３２によって閉鎖された１つのコンパートメント２３０とを設けるために、容器１２４及びさや２１０を八角形とすることができる。しかしながら、容器１２４及びさや２１０は、断面を任意の多角形として構成することができることが理解されるべきである。これらの多角形の実施形態において、さや２１０は、容器１２４とスライド可能且つ取り外し可能に連携させることができる。個々のコンパートメント２３０に選択的にアクセスする又は容器１２４を閉鎖するために、さや２１０を取り外して、容器１２４に対して回転位置決めし直して、容器１２４に再び取り付けることができる。言い換えると、さや２１０を取り外して、回転させて、再び取り付けることによって、開口部２２６により個々のコンパートメント２３０に選択的にアクセスさせる、又は開口部２２６を壁２３２で覆い隠すことができる。
【００４１】
次に、先に述べた図４を参照すると、チャンバ２１２は、さや２１０とヒンジ２２０を介して作動的に連携され、さや２１０にとげ付き留め具２２２で固定されるキャップ４１０として構成することができる。別の実施形態では、図５に図示のように、チャンバ２１２は、さや２１０に形成されたウェル４１４とヒンジ２２０を介して作動的に連携され、さや２１０にとげ付き留め具２２２で固定されるフラップ４１２として構成することができる。これらの実施形態については、図６乃至図９にさらに示しており、以下により具体的に説明する。
【００４２】
ここで図６を参照すると、いくつかの実施形態では、チャンバ２１２に収容されたデンタルフロススプール２１４を、キャップ４１０に支柱５１０を介して取り付けることができる。他の実施形態では、図７に図示のように、デンタルフロススプール２１４を、ウェル４１４に支柱５１０を介して取り付けることができる。いくつかの実施形態では、図８に図示のように、デンタルフロススプール２１４及び支柱５１０を、切欠き部２２４を収めるためにキャップ４１０内でオフセットすることができることが認識されるべきである。他の実施形態では、図９に図示のように、デンタルフロススプール２１４及び支柱５１０を、開口部２２６を収めるためにウェル４１４内でオフセットすることができることも認識されるべきである。
【００４３】
次に図１０を参照し、先の図２についての説明で言及したインデックス構造２３４に話を戻すと、いくつかの実施形態では、容器１２４は、凸部６１０をさらに含むことができ、カバー１２８は、凹部６１２含むことができる。他の実施形態では、容器１２４が凹部６１２を有し、カバー１２８が凸部６１０を有することができる。図１１に詳細に示すように、凸部６１０及び凹部６１２は、カバー１２８を容器１２４周りに選択的に回転させる又は割り出すのを補助するために、凸部６１０が凹部６１２に嵌入するが、凹部６１２から容易にスライドして出るように構成することができる。このようにすると、凸部６１０が凹部６１２に嵌入する際及び凹部６１２からスライドして出る際に、インデックス構造２３４を触知することができる。
【００４４】
続いて図１２及び図１３を参照すると、別の実施形態において、医療装置１１０は、基部７１０と、歯ブラシ１１２と、シェル１１６とを備えることができる。歯ブラシ１１２は、任意の好ましい長さとすることでき、基部７１０と作動的に連携させることができる。上記のように、いくつかの実施形態では、歯ブラシ１１２は、円錐状移行領域１２２を含むことができる。シェル１１６は、基部７１０と取り外し可能に連携させることができ、医療装置１１０を使用してない時に歯ブラシ１１２を保護するために該歯ブラシ１１２を覆うことができる。
【００４５】
より具体的には、いくつかの実施形態では、基部７１０は、アーム７１２と、とげ７１４とを含むことができる。アーム７１２は、歯ブラシ１１２に対して径方向に延びることができ、とげ７１４と作動的に連携させることができる。とげ７１４は、アーム７１２に対して直角となるように、また、歯ブラシ１１２から離反するとともに相互に対向するように配置することができる。加えて、とげ７１４は、患者が処方箋の調合時によく受け取る標準的な薬ボトル７１８の蓋７１６にカチッと嵌まるようにすることができる。基部７１０は、図１３に示した数とは異なる数のアーム７１２を有することができることが理解されるべきである。基部７１０は、図１４及び図１５に図示のように、他の実施形態では異なる態様で構成することができることも理解されるべきである。
【００４６】
図１４及び図１５を参照すると、医療装置１１０は、歯ブラシ１１２と、基部７１０と、シェル１１６とを備えることができる。上記のように、歯ブラシ１１２は、円錐状移行領域１２２を有することができ、任意の好ましい長さとすることができ、基部７１０と作動的に連携させることができる。同じく上記のように、シェル１１６は、基部７１０と取り外し可能に連携させることができる。いくつかの実施形態では、図１５に最良に示すように、基部７１０は、該基部７１０を標準的な薬ボトル７１８とねじ式に連携させるために、めねじ８１０を含むことができる。
図１６乃至図２０を参照すると、本開示に合致する別の実施形態が図示されている。当該実施形態のディスペンサが参照符号８１０で示されていることがわかる。ディスペンサ８１０は、歯ブラシ８１２と、薬レセプタクル８１４とを備える。使用してない時に歯ブラシ８１７を保護するために、保護シュラウド又はシェル８１６で毛８１４を覆うことができる。
しかしながら、上記の実施形態とは異なり、本実施形態のレセプタクル８１４は、端部８３２に対向するように該レセプタクルの側部８３１に設けられたアクセス蓋８３０を使って開かれる。一方、端部８３２は端部壁８２９によって閉鎖されている。このとき、図１８に最良に示すように表示８３４を表示するための面８３３が設けられる。側部８３１にアクセス蓋８３０を設けることにより、開口部８３５からの薬の投与及び投入を補助することもできる。さらに、側部８３１は、薬の視認を容易にするために、プラスチックなどの透明な材料で形成することができる。蓋８３０も、側部８３１との摩擦嵌合及び薬の保持を容易にするために、プラスチック、シリコン、ゴムなどで形成することができる。
次に図２０を参照すると、その分解図には、端部８３２が仕切壁８３６と一体となっていることが示されている。ディスペンサシェル８３６に挿入されると、複数のコンパートメント８３７が得られる。より具体的には、一週間の曜日毎に薬を格納可能なように７つのコンパートメント８３７が得られ、適切なコンパートメント８３７を開口部８３５の近位に配置するために端部８３２をシェル８３６とともに回転させることが可能である。表示８３４を用いることで適切な回転を容易にすることができる。
加えて、図２０には、蓋８３２は、ディスペンサ８１０への接続を可能にするために８３８のマウントと一体とすることが可能であることが示されている。最後に、薬がディスペンサ８１０に閉じ込められないようにするために、仕切板８３９をディスペンサに挿入することが可能である。
図示もされているように、ディスペンサ８１０は、電子通知アラーム装置８５０を備えることができる。例えば、電子アラーム装置は、マイクロプロセッサ８５２と、タッチパッドなどの入出力装置８５４とを備えることができる。このとき、ユーザに、薬の時間であるという可聴の通常の触覚フィードバックを与えることができる。加えて、薬の量が少ないことや補充の期日であることを知らせるアラームを送信することが可能である。さらに、マイクロプロセッサは、アラームが文字やＥメールなどで又はスマートフォンにも表示されるように、スマートフォン８５８などにロードされたアプリと連携して動作することができる。
【産業上の利用可能性】
【００４７】
概して、上記の開示内容は、歯科衛生業、内科医業、薬剤業、栄養業など（これらに限定されない）の種々の医療応用における有用性を見出している。特に、開示した医療装置は、薬を服用する患者、及び／又は、丸薬又は錠剤状の栄養補助食品を摂取するユーザが使用することができる。開示した医療装置を使用することによって、ユーザは、薬の服用及び／又は栄養補助食品の摂取を自身の普段の歯磨きルーチンに組み込むことができる。さらに、歯磨きは一般的に毎日行うことであるため、ユーザは少なくとも１日１回は薬の服用を思い出すであろう。さらに、ユーザが薬の指示を厳守することは、該ユーザがより早く治癒したり、進行中の疾患をより良く管理したり、急性疾患を予防したりする助けとなり得る。かくして、開示した医療装置は、健康対策及びコスト削減対策の改善を提供し得るものである。
【００４８】
上記の詳細な説明は特定の具体的な実施形態について記載しているが、開示内容の範囲はそのような実施形態に限定されるべきでなく、該実施形態は、単に実施可能性及びベストモードを目的として挙げられていることが理解されるものとする。本開示の範囲及び趣旨は、具体的に開示した実施形態よりも広く、本明細書に添付の請求項に包含される。さらに、いくつかの特徴は、特定の具体的な実施形態と併せて説明しているが、これらの特徴は、共に説明された実施形態との使用のみに限定されず、代替的な実施形態と併せて開示した他の特徴と共に又はこれらとは別に用いることができる。
【図１】
2019122763.tif 000003
【図２】
2019122763.tif 000004
【図３】
2019122763.tif 000005
【図４】
2019122763.tif 000006
【図５】
2019122763.tif 000007
【図６】
2019122763.tif 000008
【図７】
2019122763.tif 000009
【図８】
2019122763.tif 000010
【図９】
2019122763.tif 000011
【図１０】
2019122763.tif 000012
【図１１】
2019122763.tif 000013
【図１２】
2019122763.tif 000014
【図１３】
2019122763.tif 000015
【図１４】
2019122763.tif 000016
【図１５】
2019122763.tif 000017
【図１６】
2019122763.tif 000018
【図１７】
2019122763.tif 000019
【図１８】
2019122763.tif 000020
【図１９】
2019122763.tif 000021
【図２０】
2019122763.tif 000022
【外国語明細書】
2019122763000001.pdf